(57)【要約】【課題】農業用水路や生活用水路といった小水路に設置して利用される小型の水力発電装置において、各構成部材の母材の腐食を所定期間安定して抑制できるとともに、メンテナンス性にも優れる水力発電装置を提供する。【解決手段】水力発電装置は、水流によって回転する回転翼３と、回転翼３の回転により発電する発電機２と、回転翼３の回転を発電機２に伝達するギアボックス４と支柱５とを備えてなり、回転翼３にギアボックス４が連結され、ギアボックス４と発電機２とが支柱５で連結されており、ギアボックス４と支柱５とがボルト６で締結されており、回転翼３が樹脂製であり、ボルト６がステンレス製であり、ギアボックス４と支柱５がそれぞれ金属製であり、ギアボックス４と支柱５に対して犠牲陽極作用を有する防食用部材を着脱容易にボルト６の近傍に付設させている。【選択図】図１
2018135862.tif 000002
【特許請求の範囲】
【請求項１】
水流によって回転する回転翼と、該回転翼の回転により発電する発電機と、前記回転翼の回転を発電機に伝達するギアボックスと支柱とを備えてなる水力発電装置であって、
前記回転翼に前記ギアボックスが連結され、前記ギアボックスと前記発電機とが前記支柱で連結されており、前記ギアボックスと前記支柱とがボルトで締結されており、
前記ギアボックスと前記支柱がそれぞれ金属製であり、前記ギアボックスと前記支柱に対して犠牲陽極作用を有する防食用部材を前記ボルトの近傍に付設させていることを特徴とする水力発電装置。
【請求項２】
前記ギアボックスがアルミニウム合金製部材であり、前記支柱が耐食被膜を有する鉄製部材であり、前記防食用部材が亜鉛または亜鉛合金からなることを特徴とする請求項１記載の水力発電装置。
【請求項３】
前記防食用部材は、前記ボルトの頭部を非締結側から覆った鍔付きの部材、または、前記ボルトの頭部に防食用部材固定用ボルトで固定された部材であることを特徴とする請求項１または請求項２記載の水力発電装置。
【請求項４】
前記防食用部材は、前記ボルトの頭部下で、前記ギアボックスまたは前記支柱と該ボルトとの間に配置されたリング状部材であり、
前記リング状部材の内径側に、前記ギアボックスまたは前記支柱と、前記ボルトとで挟みこまれたステンレス製リング状部材を有することを特徴とする請求項１または請求項２記載の水力発電装置。
【請求項５】
前記ギアボックスと前記支柱とは、前記支柱のフランジが前記ギアボックスに前記ボルトで締結されることで固定されており、前記支柱のフランジにおいて、前記ボルトの周囲に溝を有し、前記防食用部材が該溝内に埋め込まれていることを特徴とする請求項１から請求項４までのいずれか１項記載の水力発電装置。
【請求項６】
前記ギアボックスと前記支柱とは、前記支柱のフランジが前記ギアボックスに前記ボルトで締結されることで固定されており、前記支柱のフランジの外径部または内径部近傍に前記防食用部材を付設させていることを特徴とする請求項１から請求項５までのいずれか１項記載の水力発電装置。
【発明の詳細な説明】
【技術分野】
【０００１】
本発明は水力発電装置に関し、特に農業用水路や生活用水路といった小水路に設置して利用される小型の水力発電装置に関する。
【背景技術】
【０００２】
水力発電装置は、流水が持つ運動エネルギーを発電に利用するシステムである。大型のものとしては、ダムに設置される数ＭＷ〜数千ＭＷの大電力を発生させる水力発電装置が知られている。一方、小型のものとしては、農業用水路、生活用水路（生活排水路）といった小水路に設置される数ＫＷ以下の水車（回転翼を有するものを含む）などが知られている。特に、近年の環境問題への意識の高まりから、小規模での利用が可能な小型の水力発電装置の需要が高まりつつある。
【０００３】
このような小型の水力発電装置では、小型・軽量化、低コスト化の目的から、当該装置を構成する部品材質は多種にわたっている。例えば、回転翼は樹脂材、ギアボックスはアルミニウム合金、支柱は鉄というように目的に適する材質を用いている。勿論、水中で使用されるため、防水・防錆処理が施されている。特に、錆は、外観品質に著しく悪い影響を及ぼすため、固定に使用するボルトはステンレス（ＳＵＳ）製を用い、鉄製の支柱は亜鉛クロメート処理などを施して耐食性を確保している。
【０００４】
例えば、特許文献１では、板状の羽根を用いた水車を備えた発電装置において、各構成部材に、防食性を考慮して、ステンレス、プラスチック複合材、防錆処理が施された鉄鋼などを採用できることが記載されている。また、特許文献２では、分解や組み立て性に優れた小型水車形態の水力発電装置において、一定の耐薬品性や耐塩性を付与するために、構成部材であるロータや歯車に防食塗料を塗布することが記載されている。
【先行技術文献】
【特許文献】
【０００５】
【特許文献１】特開２０１０−３１７９１号公報
【特許文献２】特開２００４−５２７３６号公報
【発明の概要】
【発明が解決しようとする課題】
【０００６】
しかしながら、材質自体がステンレスであるボルトやアルミニウム合金であるギアボックスと比較して、表面処理が施された鉄製の支柱はクロメート被膜や他の防食被膜が耐食効果を有するものの、母材の鉄が露出した場合には発錆するおそれがある。特に、農業用水路や生活用水路といった小水路に設置して使用する場合には、水路の比較的速い流れから、被膜の溶解・消失が浸漬静置している場合に比べて早期に起こりやすい。また、水路を流れる漂流物との物理的な接触などにより剥がれるおそれもある。
【０００７】
メンテナンスとして、防錆塗料の塗布や、主要な構成部材の一部交換などを行なうと部品代が高く、またその作業も煩雑なものとなり、部品交換のコストが高くなる。農業用水路や生活用水路といった、人の生活環境に近い場所での使用となる場合には、特に外観を確保（錆が発生していない状態を維持）できるように、可能であれば定期的なメンテナンスが望まれている。
【０００８】
本発明はこのような問題に対処するためになされたものであり、農業用水路や生活用水路といった小水路に設置して利用される小型の水力発電装置において、各構成部材の母材の腐食を所定期間安定して抑制できるとともに、メンテナンス性にも優れる水力発電装置を提供することを目的とする。
【課題を解決するための手段】
【０００９】
本発明の水力発電装置は、水流によって回転する回転翼と、該回転翼の回転により発電する発電機と、上記回転翼の回転を発電機に伝達するギアボックスと支柱とを備えてなる水力発電装置であって、上記回転翼に上記ギアボックスが連結され、上記ギアボックスと上記発電機とが上記支柱で連結されており、上記ギアボックスと上記支柱とがボルトで締結されており、上記回転翼が樹脂製であり、上記ボルトがステンレス製であり、上記ギアボックスと上記支柱がそれぞれ金属製であり、上記ギアボックスと上記支柱に対して犠牲陽極作用を有する防食用部材を上記ボルトの近傍に付設させていることを特徴とする。なお、上記回転翼および上記ボルトは強度や軽量化が達成できれば、金属材や樹脂材、複合材などでもよく、樹脂製やステンレス製に限定されるものではない。
【００１０】
上記ギアボックスがアルミニウム合金製部材であり、上記支柱が耐食被膜を有する鉄製部材であり、上記防食用部材が亜鉛または亜鉛合金からなることを特徴とする。
【００１１】
上記防食用部材は、上記ボルトの頭部を非締結側から覆った鍔付きの部材、または、上記ボルトの頭部に防食用部材固定用ボルトで固定された部材であることを特徴とする。
【００１２】
上記防食用部材は、上記ボルトの頭部下で、上記ギアボックスまたは上記支柱と該ボルトとの間に配置されたリング状部材であり、上記リング状部材の内径側に、上記ギアボックスまたは上記支柱と、上記ボルトとで挟みこまれたステンレス製リング状部材を有することを特徴とする。
【００１３】
上記ギアボックスと上記支柱とは、上記支柱のフランジが上記ギアボックスに上記ボルトで締結されることで固定されており、上記支柱のフランジにおいて、上記ボルトの周囲に溝を有し、上記防食用部材が該溝内に埋め込まれていることを特徴とする。また、上記支柱のフランジの外径部または内径部近傍に上記防食用部材を付設させていることを特徴とする。
【発明の効果】
【００１４】
本発明の水力発電装置は、水流によって回転する回転翼と、回転翼の回転により発電する発電機と、回転翼の回転を発電機に伝達するギアボックスと支柱とを備えてなり、回転翼にギアボックスが連結され、ギアボックスと発電機とが支柱で連結されており、ギアボックスと支柱とがボルトで締結されている構成において、回転翼が例えば樹脂製であり、ボルトが例えばステンレス製であり、ギアボックスと支柱がそれぞれ金属製であり、ギアボックスと支柱に対して犠牲陽極作用を有する防食用部材をボルトの近傍に付設させているので、水路に水没する部位において電気化学反応により ステンレス製のボルトに付帯させた防食用部材が優先的に溶解し、ギアボックスや支柱の溶解（腐食）が該効果が続く限り抑制される。また、ボルトの近傍に付設した防食用部材のみを定期的に交換することで、防食に対するメンテナンスが可能となる。
【００１５】
ギアボックスがアルミニウム合金製部材であり、支柱が耐食被膜を有する鉄製部材であり、防食用部材が亜鉛または亜鉛合金からなるので、何らかの原因で支柱の耐食被膜が剥がれて母材（鉄）が露出した場合にも、防食用部材の亜鉛が先に溶解し、支柱の溶解（腐食）を防止できる。
【００１６】
防食用部材の一形態が、ボルトの頭部を非締結側から覆った鍔付きの部材、または、ボルトの頭部に防食用部材固定用ボルトで固定された部材であるので、少ない工具での交換が可能となり、メンテナンス性に優れる。この交換を定期メンテナンスに組み込むことで、耐久性を長期にわたり容易に維持できる。
【００１７】
防食用部材の他の形態が、ボルトの頭部下で、ギアボックスまたは支柱と該ボルトとの間に配置されたリング状部材であり、リング状部材の内径側に、ギアボックスまたは支柱と、ボルトとで挟みこまれたステンレス製リング状部材を有するので、高い防食性を付与しつつ、ギアボックスと支柱との締結部での締結力も十分に確保できる。
【００１８】
防食用部材の他の形態が、支柱のフランジにおいて、ボルトの周囲に溝を有し、防食用部材が該溝内に埋め込まれているので、ボルトを取り外すことなしに防食用部材を交換できる。また、他の形態が、支柱のフランジの外径部または内径部近傍に防食用部材を付設させているので、既存の構造を大きく変更せずに取り付け可能となる。
【００１９】
また、以上の構成により、水路の流速が遅いなど、状況によっては支柱の表面処理を省くことも可能である。本発明の水力発電装置では、外観を確保できるとともに発錆による部品交換のコストも低減できる。
【図面の簡単な説明】
【００２０】
【図１】本発明の水力発電装置の一例を示す斜視図である。
【図２】図１における回転翼周囲の拡大図である。
【図３】防食用部材とボルトの構成の一例を示す図である。
【図４】防食用部材とボルトの構成の他の例を示す図である。
【図５】防食用部材とボルトの構成の他の例を示す図である。
【図６】防食用部材の構成の他の例を示す図である。
【図７】防食用部材の構成の他の例を示す図である。
【発明を実施するための形態】
【００２１】
本発明の水力発電装置は、主に、農業用水路、生活用水路などの小水路に設置して利用するものである。これらの水路は、比較的流速が速い。回転翼は水流方向の上流側に配置され、この回転翼により該回転翼の水流方向で後方に配置されたギアボックス周囲の流速は、仮に回転翼がない場合と比較すれば若干遅くなるが、浸漬静置状態と比較すれば、十分に速い流速で部材間を水が流れることとなる。また、装置の構成部材の材質は多種にわたる。一部部材には防錆被膜などを形成するものの、上記水流の影響や、水路中を流れる異物などにより、これが剥がれ、露出した金属母材において腐食が起こり得る。
【００２２】
金属の腐食は、金属原子が結晶格子を離脱して金属イオンとして水中に溶出することで起こる。この電気化学反応は下記式（１）で表されるアノード反応である。下記式（１）において「Ｍ」は金属原子、「ＭＸ＋」は金属イオン、「ｘ」は電荷数である。金属Ｍが鉄（Ｆｅ）の場合、下記式（１）は下記式（２）のように表される。ここで、下記式（３）で表されるカソード反応により、溶出した電子を水中の溶存酸素が受けとって水酸化物イオンＯＨ−が生成される。
【化１】
2018135862.tif 000003
【００２３】
水中に溶出したＦｅ２＋は、ＯＨ−と反応して、水酸化第一鉄Ｆｅ（ＯＨ）２となり、その後、溶存酸素により酸化されて水酸化第二鉄Ｆｅ（ＯＨ）３となる。これが更に水和物などの形の錆となり鉄製部材の表面に形成される。異種材料で各部材を構成する場合には、カソードとアノードが偏在し、局部電池（マイクロセル）が構成されて局部での腐食が起こる。水中雰囲気や高湿雰囲気でも、静止状態であればマイクロセル周囲の溶存酸素が徐々に減り、腐食の進行が遅くなり得る。一方、本発明の水力発電装置では、比較的流速が速く、対象部位にも新鮮な水が連続して供給されるため、溶存酸素が鉄製部材の表面に拡散しやすくなり、上記式（３）の反応が活発になり、腐食速度が増加する傾向にある。
【００２４】
このため、小水路に設置して利用される小型の水力発電装置では、腐食を初期の防錆処理などで長期間維持させることは容易ではない。犠牲陽極作用を有する防食用部材を用いた構成とする場合も同様に、初期の設置部材のみでは不十分となるおそれがある。また、上述のとおり、農業用水路や生活用水路といった、人の生活環境に近い場所での使用となる場合が多く、外観を確保（錆が発生していない状態を維持）することも重要である。このように、本発明の水力発電装置では、比較的流速が速く、腐食が速い環境で使用されながら、外観を確保する必要があるため、定期的なメンテナンスの一環として防食用部材の交換を行なうことが好ましい。
【００２５】
本発明の水力発電装置の一例を図１に基づいて説明する。図１は、用水路などに設置される水力発電装置の斜視図である。図１に示すように、本発明の水力発電装置１は、水流によって回転する回転翼３と、回転翼３の回転により発電する発電機２と、回転翼３の回転を発電機２に伝達するギアボックス４と支柱５とを備えてなる。発電機２は、発電機モジュールとして各種コントローラなどを含む構成であってもよい。回転翼３にギアボックス４が連結され、ギアボックス４と発電機２とが支柱５で連結されており、ギアボックス４と支柱５とがボルト６で締結されている。図１に示す形態の水力発電装置１は、農業用水路などの小水路に設置するため、該水路の両脇に掛け渡されるフレーム（梁）８を有し、フレーム８で水力発電装置１全体を支持する形としている。発電機２を含めてフレーム８上に設けられているので、水路幅内に設置が可能であり、省スペースでの発電が可能となる。フレーム８は、設置する水路などの形状に合わせて適宜長さや幅を設定できる。また、この種の水力発電装置１は、同じ水路に複数台を直列に並べて設置することができる。
【００２６】
この水力発電装置１において、水流を受けるための回転翼３は水没した状態で使用される。このため、該回転翼３に連結されたギアボックス４と、これに連結された支柱５の一部と、ギアボックス４と支柱５とを締結固定するボルト６も水没した状態で使用される。
【００２７】
図２に基づいて、水力発電装置１の各構成部材を説明する。図２は、図１の水力発電装置における回転翼周囲の拡大図である。回転翼３は、水流を受けて回転する翼であり、回転軸に対して円周方向にずらして配置した５枚羽根で構成されている。この回転翼３は樹脂製である。樹脂製とすることで、水中での腐食を防止でき、また、軽量化により設置が容易となり、さらに小水路に設置した際に小さな流れであっても回転しやすくなる。
【００２８】
回転翼３の樹脂材質としては特に限定されず、汎用樹脂、エンジニアリングプラスチック、またはこれらを炭素繊維、ガラス繊維、アラミド繊維などで強化した樹脂が使用できる。これらの中でも、水中使用での耐久性に優れ、コスト面にも優れることから、ガラス繊維強化樹脂（ＧＦＲＰ）を使用することが好ましい。なお、必要に応じて、これら樹脂表面に、フッ素樹脂やシリコーン樹脂からなる撥水性被膜を形成してもよい。
【００２９】
ギアボックス４は、主に回転翼３の回転方向を変換するためのギア構造を内装したボックスであり、複数のギアなどが組み込まれている。回転翼３の回転は、このギアボックス４と支柱５内部の回転伝達部材により、発電機２（図１参照）に伝達される。なお、発電機内またはギアボックス内には、発電効率を向上させるための増速機を内蔵していてもよい。
【００３０】
ギアボックス４と支柱５は、それぞれ金属製である。これは母材が金属製であることを意味する。金属材質としては、特に限定されないが、目的に合わせて適宜選択される。ギアボックス４と支柱５で同じ金属材料を用いてもよい。金属材料としては、軟鋼、一般構造用炭素鋼、ステンレス鋼などの鉄系金属、アルミニウム合金、チタン合金、銅合金などが挙げられる。このギアボックスと支柱は、上述のとおり、水没した状態で使用されることから、防錆性に優れる金属材料を使用する、または、金属材表面に防錆処理を施したものを使用する。
【００３１】
これらの中でも、ギアボックス４の金属材料としては、耐腐食性と加工性に優れることから、アルミニウム合金を使用することが好ましい。また、支柱５の金属材料としては、コスト面から、耐食被膜を形成した鉄系材料を使用することが好ましい。耐食被膜としては、化成処理被膜、めっき処理被膜などが挙げられる。特に、支柱５としては、変色や腐食を効果的に防止できるため、下地処理として電気亜鉛めっきを施した上に３価クロメート処理された亜鉛クロメート処理品とすることが好ましい。
【００３２】
回転翼３を樹脂製とし、ボルト６をステンレス製とする場合、金属製（ステンレス以外の場合）であるギアボックス４と支柱５において耐食性を維持できない場合には、上記式（１）に示すように、これらの部材がアノードとなり腐食が起こる。特に、ギアボックス４がアルミニウム合金であり、支柱５が耐食被膜を有する鉄製である場合、何らかの原因で支柱の被膜が剥がれると、そこに露出した母材（鉄）が腐食する。
【００３３】
これを防止するため、本発明の水力発電装置では、ギアボックス４と支柱５に対して犠牲陽極作用を有する防食用部材７をステンレス製のボルト６の近傍に付設させている。上述の化１に示す電気化学反応により、ステンレス製のボルト６に付帯させた防食用部材７が犠牲陽極（アノード）として作用して優先的に溶解し、他の部位、特に支柱の溶解（腐食）が抑制される。
【００３４】
防食用部材７は、ギアボックス４と支柱５の母材材質との関係で犠牲陽極作用を発揮し得る部材である。該部材は、水中での腐食電位が、対象部材の母材材質よりも「卑」であるものであればよく、特に材質は制限されない。なお、腐食電位は、溶存酸素を含む水中で不働態被膜などを形成する場合には「貴」側へ移行するため、標準酸化還元電位とは序列が同じとならない。防食用部材７の具体的な材質としては、ギアボックス４としてアルミニウム合金を、支柱５の母材として鉄を用いる場合、亜鉛、亜鉛合金、マグネシウム、マグネシウム合金などを使用できる。特に、交換部品となる防食用部材の低コスト化を図れることから、亜鉛または亜鉛合金を使用することが好ましい。
【００３５】
本発明の水力発電装置では、上述のとおり、定期的なメンテナンスを行なうことが好ましい。防食用部材７を設ける構成とすることで、これのみを定期的に交換することで、他の構成部材などの交換や補修を必要とせずに防食に対するメンテナンスが可能となる。このメンテナンスは、防食用部材がその効果を発揮し得る期間内に行なう必要があり、例えば、６ヵ月〜３年程度、好ましくは１年前後の周期で定期的に行なうことが好ましい。他の定期メンテナンスに組み込むことで、耐久性を長期にわたり容易に維持できる。本発明のような小型の水力発電装置を定期的にメンテナンスする場合、その作業性が重要となる。よって、防食用部材の形状、固定方法などは、このメンテナンス性を考慮したものとすることが好ましい。以下、図３〜図７に基づいて、防食用部材の構成の例を説明する。
【００３６】
図３の防食用部材について説明する。図３（ａ）は防食用部材とボルトの構成の一例を示す斜視図であり、図３（ｂ）はその正面図であり、図３（ｃ）は図３（ｂ）におけるＡ−Ａ線一部断面図である。図３に示す防食用部材７は、ボルト６の頭部を非締結側から覆ったリング状の部材（アノードメタルリング）である。この防食用部材７は、ボルト６の頭部に非締結側から押し込むことで固定し、該頭部周囲をブッシングしている。また、この防食用部材７は、上端部に鍔７ａを有し、取り外し時には該鍔に工具を掛けて容易に引き抜くことができる。
【００３７】
図４の防食用部材について説明する。図４（ａ）は防食用部材とボルトの構成の他の例を示す斜視図であり、図４（ｂ）はその正面図であり、図４（ｃ）は図４（ｂ）におけるＡ−Ａ線一部断面図である。図４に示す防食用部材７は、ボルト６の頭部に防食用部材固定用ボルト９で固定されたリング状の部材（アノードメタルリング）である。ボルト６の頭部にタップ穴を予め設け、センタ穴を有する防食用部材７をこの頭部に配置し、防食用部材固定用ボルト９を該センタ穴を通しつつ、ボルト６のタップ穴に締結固定する。これにより、防食用部材７が強固に固定され、一部溶解後であっても外れること等を防止できる。また、この防食用部材７は、防食用部材固定用ボルト９を緩めて取り外すことで交換が可能である。
【００３８】
図５の防食用部材について説明する。図５（ａ）は防食用部材とボルトの構成の他の例を示す斜視図であり、図５（ｂ）はその正面図であり、図５（ｃ）は図５（ｂ）におけるＡ−Ａ線一部断面図である。図５に示す防食用部材７は、ボルト６の頭部下で、ギアボックスまたは支柱と該ボルトとの間に配置されたリング状部材である。ここで、防食用部材７のリングの内径側に、ギアボックスまたは支柱と、ボルト６とで挟みこまれたステンレス製リング状部材１０を有する。すなわち、締結ボルト頭下にツーピースのリングを設けた構成としている。防食用部材７は、防食性向上に寄与する部材であり、ステンレス製リング状部材１０は、締結力を確保するための部材である。亜鉛や亜鉛合金からなる防食用部材は、機械的強度などに劣り、これのみで締結部に挟み込まれると割れる等して十分な締結力が得られないおそれがある。上記のようなステンレス製リング状部材１０で、締結力を確保することで、防食用部材としては、犠牲陽極作用を備えた任意の材質の部材を採用できる。
【００３９】
防食用部材７のリングは、ボルト６やステンレス製リング状部材１０に直接は接触しないサイズとしてもよい。防食用部材７とステンレス製リング状部材１０を嵌合一体化し、上記リング状部材１０の内径をボルト６頭下外径より大きくしておけば、ボルト６を通常通り外すのみで交換が可能である。
【００４０】
図６の防食用部材について説明する。図６は防食用部材の構成の他の例を示す一部断面図である。図６に示す構成では、ギアボックス４と支柱５とは、支柱５のフランジ５ａがギアボックス４にボルト６で締結されることで固定されている。なお、図１〜図５の形態の場合でも同様にギアボックスと支柱とは支柱フランジで固定することができる。ここで、支柱５のフランジ５ａにおいて、ボルト６の周囲にリング状の溝５ｂを有する。この溝５ｂに、該溝と略同形状の防食用部材７が埋め込まれている。防食用部材７は、該溝に嵌合されており、一定期間使用後の交換時には、溝との間に若干の隙間ができ容易に取り外すことができる。この形態では、図１と同様にボルトを取り外すことなしに防食用部材を交換できる。
【００４１】
図７の防食用部材について説明する。図７（ａ）および図７（ｂ）は、それぞれ防食用部材の構成の他の例を示す一部断面図である。図７（ａ）に示す構成では、図６と同様に、支柱５のフランジ５ａがギアボックス４にボルト６で締結されている。ここで、支柱５のフランジ５ａの内径部近傍（支柱５の最下部）に防食用部材７を付設させている。この防食用部材７は、支柱５の外径に沿ったリング状の部材である。取り外し性を向上させるため、半リング同士を連結する構造としてもよい。
【００４２】
図７（ｂ）に示す構成では、支柱５のフランジ５ａの外径部に防食用部材７を付設させている。この防食用部材７は、フランジ５ａの外径に沿ったリング状の部材である。取り外し性を向上させるため、図７（ａ）の場合と同様に、半リング同士を連結する構造としてもよい。図７の各形態の防食用部材は、既存の構造を大きく変更せずに取り付け可能である。また、防食用部材をボルトに直接または近接して配置する構成ではないため、図３〜図６に示すような他の防食用部材と組み合わせて適用することもできる。
【００４３】
図３〜図７のいずれの場合も、少ない工具で防食用部材の交換が可能となり、メンテナンス性に優れる。なお、防食用部材の大きさ（幅や厚み）などは、他のボルトなどに干渉しない形状であれば、メンテナンス頻度などを考慮して適宜変更できる。
【００４４】
本発明の水力発電装置は、以上のような定期的に交換容易な防食用部材を備えるので、鉄製（防食被膜あり）の支柱などを使用しながら、錆の発生などを防止できる。また、水路の流速が遅いなど、状況によっては支柱の表面処理を省くことも可能である。
【００４５】
その他、ボルト近傍での耐食性を少しでも向上させる方法として、図２の構成においてギアボックス４の背面４ｂに支柱５をボルト６で締結することが考えられる。背面４ｂは、ギアボックス４における水流方向後方側であり、ギアボックス自体により水流が遮られ淀みとなる部分であるため、水流がより遅くなり、近視的には静止水中のような状態となり、腐食の進行を抑制できる。同様に、ボルト近傍の水の流れを制限する構造（カバー）などを設けることで腐食の進行を抑制し得る。
【産業上の利用可能性】
【００４６】
本発明の水力発電装置は、各構成部材の母材の腐食を所定期間安定して抑制できるとともに、メンテナンス性にも優れるので、農業用水路や生活用水路といった小水路に設置して利用される小型の水力発電装置として好適に利用できる。
【符号の説明】
【００４７】
１  水力発電装置
２  発電機
３  回転翼
４  ギアボックス
５  支柱
６  ボルト（ギアボックスと支柱との固定用）
７  防食用部材
８  フレーム
９  防食用部材固定用ボルト（ボルトと防食用部材との固定用）
１０  ステンレス製リング状部材
【図１】
2018135862.tif 000004
【図２】
2018135862.tif 000005
【図３】
2018135862.tif 000006
【図４】
2018135862.tif 000007
【図５】
2018135862.tif 000008
【図６】
2018135862.tif 000009
【図７】
2018135862.tif 000010